【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
少なくとも輝度を主成分とする多値画像データにノイズを多重化して、当該ノイズの多重化した分布による目視可能な付加情報を埋め込む画像処理装置であって、
画素単位にノイズを多重化する／しないを示す情報を、前記付加情報として入力する入力手段と、
前記付加情報に基づき、多値画像データ中の注目画素が、ノイズを多重化する位置にあるのか否かを判定する判定手段と、
該判定手段によって前記注目画素がノイズ多重化する位置にあると判定された場合、注目画素の近傍領域の輝度値に基づき、注目画素に加算する加算輝度値を算出する輝度値算出手段と、
算出された加算輝度値値を注目画素の輝度値に加算する加算手段と
を備えることを特徴とする画像処理装置。
【請求項２】
前記輝度値算出手段は、
前記近傍領域のデータを明度値に変換する第１の変換手段と、
前記注目画素に対して可逆ノイズを多重化するための鍵情報と、前記近傍領域の輝度値に基づき、前記近傍領域に対する明度変更量を算出する変更量算出手段と、
算出された明度変更量を、前記第１の変換手段で変換された明度値に加算する明度加算手段と、
該明度加算手段で得られた明度値を輝度値に変換する第２の変換手段と、
該第２の変換手段で得られた輝度値と、前記近傍領域の輝度値と差分を前記加算輝度値として算出する手段と
を備えることを特徴とする請求項１に記載の画像処理装置。
【請求項３】
前記変更量算出手段は、前記近傍領域の輝度或いは明度値に基づき、変更する正負の符号を決定する手段を含むことを特徴とする請求項３に記載の画像処理装置。
【請求項４】
前記鍵情報には、埋め込むノイズの強度情報、ノイズの発生する乱数キー、その振幅が含まれることを特徴とする請求項２に記載の画像処理装置。
【請求項５】
前記入力手段で入力する、画素単位にノイズを多重化する／しないを示す情報は多値で表現される情報であって、多重化する場合においてはその多重化する際の可視強度のレベルが格納されていることを特徴とする請求項１乃至４のいずれか１項に記載の画像処理装置。
【請求項６】
前記加算手段における加算後の輝度値が表現可能な階調範囲を超えるとき、対応する画素へ前記加算輝度値を加算せず、前記付加情報の対応する位置のノイズを多重化する／しないを示す情報を、ノイズを多重化しないに変更することを特徴とする請求項１に記載の画像処理装置
【請求項７】
ノイズが可逆的に埋め込まれ、目視可能な付加情報が多重化された多値画像データから、前記付加情報を除去する画像処理装置であって、
画素単位にノイズを多重化する／しないを示す情報を、前記付加情報として入力する入力手段と、
前記付加情報に基づき、多値画像データ中の注目画素が、ノイズが多重化された位置にあるのか否かを判定する判定手段と、
該判定手段によって、注目画素がノイズの多重化された位置にあると判定した場合、注目画素に対して除去処理が完了した近傍領域の輝度に基づき、注目画素に加算された加算輝度値を算出する加算輝度値算出手段と、
算出された輝度値を前記注目画素の輝度値より減じる減算手段と
を備えることを特徴とする画像処理装置。
【請求項８】
複数の色成分から構成される多値画像データにノイズを多重化して、当該ノイズの多重化した分布による目視可能な付加情報を埋め込む画像処理装置であって、
画素単位にノイズを多重化する／しないを示す情報を、前記付加情報として入力する入力手段と、
前記付加情報に基づき、多値画像データ中の注目画素が、ノイズを多重化する位置にあるのか否かを判定する判定手段と、
該判定手段によって前記注目画素がノイズ多重化する位置にあると判定された場合、注目画素の近傍領域の輝度値に基づき、注目画素の複数の色成分に加算する加算画素値を算出する加算画素値算出手段と、
算出された加算画素値を注目画素の画素値に加算する加算手段と
を備えることを特徴とする画像処理装置。
【請求項９】
前記加算画素値算出手段は、
前記近傍領域の画素値から輝度値を計算する手段と、
前記輝度値を明度値に変換する第１の変換手段と、
前記注目画素に対して可逆ノイズを多重化するための鍵情報と、前記近傍領域の輝度値に基づき、前記近傍領域に対する明度変更量を算出する変更量算出手段と、
算出された明度変更量を、前記第１の変換手段で変換された明度値に加算する明度加算手段と、
該明度加算手段で得られた明度値を輝度値に変換する第２の変換手段と、
該第２の変換手段で得られた輝度値を複数の画素値に変換する第３の変換手段と
該第３の変換手段で得られた画素値と、前記近傍領域の画素値と差分を前記加算画素値として算出する手段と
を備えることを特徴とする請求項８に記載の画像処理装置。
【請求項１０】
ノイズが可逆的に埋め込まれ、目視可能な付加情報が多重化された多値画像データから、前記付加情報を除去する画像処理装置であって、
画素単位にノイズを多重化する／しないを示す情報を、前記付加情報として入力する入力手段と、
前記付加情報に基づき、多値画像データ中の注目画素が、ノイズが多重化された位置にあるのか否かを判定する判定手段と、
該判定手段によって、注目画素がノイズの多重化された位置にあると判定した場合、注目画素に対して除去処理が完了した近傍領域の輝度に基づき、注目画素に加算された加算画素値を算出する加算画素値算出手段と、
算出された画素値を前記注目画素の画素値より減じる減算手段と
を備えることを特徴とする画像処理装置。
【請求項１１】
少なくとも輝度を主成分とする多値画像データにノイズを多重化して、当該ノイズの多重化した分布による目視可能な付加情報を埋め込む画像処理方法であって、
画素単位にノイズを多重化する／しないを示す情報を、前記付加情報として入力する入力工程と、
前記付加情報に基づき、多値画像データ中の注目画素が、ノイズを多重化する位置にあるのか否かを判定する判定工程と、
該判定工程によって前記注目画素がノイズ多重化する位置にあると判定された場合、注目画素の近傍領域の輝度値に基づき、注目画素に加算する加算輝度値を算出する輝度値算出工程と、
算出された加算輝度値値を注目画素の輝度値に加算する加算工程と
を備えることを特徴とする画像処理方法。
【請求項１２】
ノイズが可逆的に埋め込まれ、目視可能な付加情報が多重化された多値画像データから、前記付加情報を除去する画像処理方法であって、
画素単位にノイズを多重化する／しないを示す情報を、前記付加情報として入力する入力工程と、
前記付加情報に基づき、多値画像データ中の注目画素が、ノイズが多重化された位置にあるのか否かを判定する判定工程と、
該判定工程によって、注目画素がノイズの多重化された位置にあると判定した場合、注目画素に対して除去処理が完了した近傍領域の輝度に基づき、注目画素に加算された加算輝度値を算出する加算輝度値算出工程と、
算出された輝度値を前記注目画素の輝度値より減じる減算工程と
を備えることを特徴とする画像処理方法。
【請求項１３】
複数の色成分から構成される多値画像データにノイズを多重化して、当該ノイズの多重化した分布による目視可能な付加情報を埋め込む画像処理方法であって、
画素単位にノイズを多重化する／しないを示す情報を、前記付加情報として入力する入力工程と、
前記付加情報に基づき、多値画像データ中の注目画素が、ノイズを多重化する位置にあるのか否かを判定する判定工程と、
該判定工程によって前記注目画素がノイズ多重化する位置にあると判定された場合、注目画素の近傍領域の輝度値に基づき、注目画素の複数の色成分に加算する加算画素値を算出する加算画素値算出工程と、
算出された加算画素値を注目画素の画素値に加算する加算工程と
を備えることを特徴とする画像処理方法。
【請求項１４】
ノイズが可逆的に埋め込まれ、目視可能な付加情報が多重化された多値画像データから、前記付加情報を除去する画像処理方法であって、
画素単位にノイズを多重化する／しないを示す情報を、前記付加情報として入力する入力工程と、
前記付加情報に基づき、多値画像データ中の注目画素が、ノイズが多重化された位置にあるのか否かを判定する判定工程と、
該判定工程によって、注目画素がノイズの多重化された位置にあると判定した場合、注目画素に対して除去処理が完了した近傍領域の輝度に基づき、注目画素に加算された加算画素値を算出する加算画素値算出工程と、
算出された画素値を前記注目画素の画素値より減じる減算工程と
を備えることを特徴とする画像処理方法。
【請求項１５】
請求項１乃至１０のいずれか１項に記載の画像処理装置の機能をコンピュータに実現させるためのコンピュータプログラム。
【請求項１６】
請求項１５に記載のコンピュータプログラムを格納したことを特徴とするコンピュータ可読記憶媒体。